(57)【要約】【課題】  上部に受枠を有する入賞装置と上部に通過枠を有する入賞装置とを経済的に設計する可能であると共に製造することが可能なパチンコ機の入賞装置を提供する。【解決手段】  入賞装置１として一対の開閉部材１２と受枠２１とを有するものを製造したいときには、下部取付基板１０の上部に受枠用上部取付基板２０を固定すればよく、一方、入賞装置１として一対の開閉部材１２と通過枠３１とを有するものを製造したいときには、下部取付基板１０の上部に通過枠用上部取付基板３０を固定すればよいので、下部取付基板１０を共用することができ、結果的に受枠２１を有する入賞装置１又は通過枠３１を有する入賞装置１の製造を極めて経済的に且つ容易に行うことができる。【選択図】        図１
2008125620.tif 000002
【特許請求の範囲】
【請求項１】
ソレノイドによってパチンコ玉を受け入れない起立状態とパチンコ玉を受け入れることができる傾斜状態とに変化可能な一対の開閉部材と、該一対の開閉部材の上部に設けられてパチンコ玉を入賞させる受枠又はパチンコ玉を通過させる通過枠のいずれか一方とが取付基板の前面に形成されたパチンコ機の入賞装置において、
前記取付基板は、
前記一対の開閉部材がその前面側に開閉自在に設けられると共に前記ソレノイドがその裏面側に取り付けられる下部取付基板と、
該下部取付基板の上部に同一平面となるように固定され且つ前記受枠がその前面側に形成される受枠用上部取付基板、又は前記下部取付基板の上部に同一平面となるように固定され且つ前記通過枠がその前面側に形成される通過枠用上部取付基板と、
からなることを特徴とするパチンコ機の入賞装置。
【請求項２】
前記下部取付基板は、裏面側に設けられる前記ソレノイドを含む前記開閉部材を駆動するためのリンク機構が当該下部取付基板の正面から見た面積範囲内に収まるように構成されていることを特徴とする請求項１記載のパチンコ機の入賞装置。
【請求項３】
前記受枠用上部取付基板には、その裏面側に前記受枠で受け止めたパチンコ玉を後方に導く誘導樋路枠が形成されていることを特徴とする請求項１又は請求項２記載のパチンコ機の入賞装置。
【請求項４】
前記通過枠用上部取付基板には、その裏面から通過玉を検出するための通過玉検出スイッチが前記通過枠に差し込み固定されていることを特徴とする請求項１又は請求項２記載のパチンコ機の入賞装置。
【発明の詳細な説明】
【技術分野】
【０００１】
本発明は、ソレノイドによってパチンコ玉を受け入れない起立状態とパチンコ玉を受け入れることができる傾斜状態とに変化可能な一対の開閉部材と、該一対の開閉部材の上部に設けられてパチンコ玉を入賞させる受枠又はパチンコ玉を通過させる通過枠のいずれか一方とが取付基板の前面に形成されたパチンコ機の入賞装置に関するものである。
【背景技術】
【０００２】
パチンコ遊技機の遊技盤面に設けられる入賞装置であって、一対の開閉部材を取付基板の前面に軸支した入賞装置においては、取付基板の裏面側に固定されたソレノイドの駆動によってリンク機構を介して一対の開閉部材を起立状態と傾斜状態とに変化させるようにしていた。従来、このような入賞装置では、特開２０００−２６２６７６号公報に示されるように、一対の開閉部材の上部に受枠を配置し、その受枠が開閉部材を軸支する取付基板と一体的に形成されたり、あるいは、特開２０００−１８９５６８号公報に示されるように、一対の開閉部材の上部に通過枠を配置し、その通過枠が開閉部材を軸支する取付基板と一体的に形成されたりしている。
【特許文献１】特開２０００−２６２６７６号公報（図５）
【特許文献２】特開２０００−１８９５６８号公報（図５）
【発明の開示】
【発明が解決しようとする課題】
【０００３】
つまり、従来、取付基板の下部に設けられる一対の開閉部材及び当該開閉部材を開閉するための機構が同じであるにもかかわらず、取付基板の上部に設けられるものが受枠か通過枠の違いによって、それぞれ別々の入賞装置として設計され製造されていたため、極めて不経済であった。
【０００４】
そこで、本発明は、上記した事情に鑑みなされたもので、その目的とするところは、上部に受枠を有する入賞装置と上部に通過枠を有する入賞装置とを経済的に設計する可能であると共に製造することが可能なパチンコ機の入賞装置を提供することにある。
【課題を解決するための手段】
【０００５】
そこで、請求項１に係る発明について、図面を参照して説明すると、図１に示すように、ソレノイド１７によってパチンコ玉を受け入れない起立状態とパチンコ玉を受け入れることができる傾斜状態とに変化可能な一対の開閉部材１２と、該一対の開閉部材１２の上部に設けられてパチンコ玉を入賞させる受枠２１又はパチンコ玉を通過させる通過枠３１のいずれか一方とが取付基板１０及び２０又は３０の前面に形成されたパチンコ機の入賞装置１において、前記取付基板１０及び２０又は３０は、前記一対の開閉部材１２がその前面側に開閉自在に設けられると共に前記ソレノイド１７がその裏面側に取り付けられる下部取付基板１０と、該下部取付基板１０の上部に同一平面となるように固定され且つ前記受枠２１がその前面側に形成される受枠用上部取付基板２０、又は前記下部取付基板１０の上部に同一平面となるように固定され且つ前記通過枠３１がその前面側に形成される通過枠用上部取付基板３０と、からなることを特徴とする。
【０００６】
また、請求項２に係る発明では、図面を参照して説明すると、図１に示すように、請求項１に記載されるパチンコ機の入賞装置１において、前記下部取付基板１０は、裏面側に設けられる前記ソレノイド１７を含む前記開閉部材１２を駆動するためのリンク機構１８が当該下部取付基板１０の正面から見た面積範囲内に収まるように構成されていることを特徴とする。
【０００７】
また、請求項３に係る発明では、図面を参照して説明すると、図１に示すように、請求項１又は請求項２に記載されるパチンコ機の入賞装置１において、前記受枠用上部取付基板２０には、その裏面側に前記受枠２１で受け止めたパチンコ玉を後方に導く誘導樋路枠２２が形成されていることを特徴とする。
【０００８】
更に、請求項４に係る発明では、図面を参照して説明すると、図１に示すように、請求項１又は請求項２に記載されるパチンコ機の入賞装置１において、前記通過枠用上部取付基板３０には、その裏面から通過玉を検出するための通過玉検出スイッチ３２が前記通過枠３１に差し込み固定されていることを特徴とする。
【発明の効果】
【０００９】
請求項１に係る発明においては、入賞装置１が、一対の開閉部材１２がその前面側に開閉自在に設けられると共にソレノイド１７がその裏面側に取り付けられる下部取付基板１０と、該下部取付基板１０の上部に同一平面となるように固定され且つ受枠２１がその前面側に形成される受枠用上部取付基板２０、又は下部取付基板１０の上部に同一平面となるように固定され且つ通過枠３１がその前面側に形成される通過枠用上部取付基板３０と、からなるので、入賞装置１として一対の開閉部材１２と受枠２１とを有するものを製造したいときには、下部取付基板１０の上部に受枠用上部取付基板２０を固定すればよく、一方、入賞装置１として一対の開閉部材１２と通過枠３１とを有するものを製造したいときには、下部取付基板１０の上部に通過枠用上部取付基板３０を固定すればよいので、下部取付基板１０を共用することができ、結果的に受枠２１を有する入賞装置１又は通過枠３１を有する入賞装置１の製造を極めて経済的に且つ容易に行うことができる。
【００１０】
請求項２に係る発明においては、下部取付基板１０は、裏面側に設けられるソレノイド１７を含む開閉部材１２を駆動するためのリンク機構１８が当該下部取付基板１０の正面から見た面積範囲内に収まるように構成されているので、上部に固定される受枠用上部取付基板２０又は通過枠用上部取付基板３０のそれぞれの裏面側に延設される部材（誘導通路枠２２又は検出スイッチ３２）が存在しても、下部取付基板１０と上部取付基板２０又は３０との取付固定作業をスムーズに行うことができる。
【００１１】
請求項３に係る発明においては、受枠用上部取付基板２０には、その裏面側に受枠２１で受け止めたパチンコ玉を後方に導く誘導樋路枠２２が形成されているので、受枠２１で受け止めたパチンコ玉を入賞玉としてスムーズに後方に誘導することができる。
【００１２】
請求項４に係る発明においては、通過枠用上部取付基板３０には、その裏面から通過玉を検出するための通過玉検出スイッチ３２が通過枠３１に差し込み固定されているので、通過枠３１を通過したパチンコ玉を確実に検出することができる。
【発明を実施するための最良の形態】
【００１３】
以下、図面を参照して、本発明の実施形態について説明する。図１は、下部取付基板１０と受枠用上部取付基板２０及び通過枠用上部取付基板３０の構成を示す入賞装置１の分解斜視図であり、図２は、下部取付基板１０と受枠用上部取付基板２０とを連結固定した入賞装置１Ａの正面図であり、図３は、下部取付基板１０と通過枠用上部取付基板３０とを連結固定した入賞装置１Ｂの正面図である。
【００１４】
図１に示すように、本実施形態に係る入賞装置１は、下部取付基板１０と受枠用上部取付基板２０とを連結固定した入賞装置１Ａ、若しくは下部取付基板１０と通過枠用上部取付基板３０とを連結固定した入賞装置１Ｂとして構成される。つまり、入賞装置１Ａと入賞装置１Ｂとは、下部取付基板１０を共通の構成部品として使用している。そこで、最初に下部取付基板１０の構成について説明する。
【００１５】
下部取付基板１０は、横長逆台形状に形成され、そのほぼ中央に入賞開口１１が開設され、該入賞開口１１の左右側方に一対の開閉部材１２が開閉自在となるように軸支されている。開閉部材１２の前面下部は、前面装飾板１３によって被覆されている。また、下部取付基板１０の両サイドには、入賞装置１を図示しない遊技盤の表面に取り付けるための取付穴１４が穿設されている。更に、下部取付基板１０の上端辺には、後述する上部取付基板２０又は３０を載置するための当接段差部１５が形成されており、この当接段差部１５に上部取付基板２０又は３０を載置して固定したときには、下部取付基板１０と上部取付基板２０又は３０とが同一平面となっている。
【００１６】
また、下部取付基板１０の裏面側には、前記入賞開口１１の裏面側の上部を除く周囲を覆うように玉誘導枠部１６が突設されている。玉誘導枠部１６は、一対の開閉部材１２が受け止めたパチンコ玉を入賞開口１１から受け入れて後方に導いて入賞玉とするものである。また、玉誘導部１６の上部左右には、取付穴１９が形成され、該取付穴１９と上部取付基板２０又は３０の裏面側に形成される取付ボス２３又は３３とを裏面側から図示しないビスで螺着することにより、下部取付基板１０と上部取付基板２０又は３０とを強固に連結固定するものである。また、玉誘導枠部１６の後方には、リンク機構１８が取り付けられ、該リンク機構１８の後方にソレノイド１７が固定されている。ソレノイド１７の励磁・非励磁によりリンク機構１８を介して一対の開閉部材１２がパチンコ玉を受け入れない起立状態とパチンコ玉を受け入れることができる傾斜状態とに変化するものであるが、その構造は、従来からよく知られているものである。ただし、本実施形態において、特徴的なことは、ソレノイド１７を含むリンク機構１８の全体が正面から見たときに下部取付基板１０の面積範囲内に収まっている点である。つまり、正面から見たときにソレノイド１７を含むリンク機構１８が下部取付基板１０に隠れて視認できないように構成されている。ただし、図示の実施形態の場合、下部取付基板１０の面積範囲は、上記した当接段差部１５よりもやや上部まで含むものである。
【００１７】
上記した下部取付基板１０の上部に載置固定される上部取付基板２０又は３０のうち、受枠用上部取付基板２０について説明すると、受枠用上部取付基板２０は、横長台形状に形成され、そのほぼ中央にパチンコ玉を受け入れる断面Ｕ字状の受枠２１が突設されている。また、受枠上部取付基板２０の裏面側には、受２１枠に連通するように誘導通路枠２２が突設されており、受枠２１で受け止めたパチンコ玉を後方に導いて入賞玉とするものである。また、受枠用上部取付基板２０の下端辺の横幅寸法は、前記下部取付基板１０の上端辺の横幅寸法と一致するように形成されると共に、下部取付基板１０の当接段差部１５に載置されるようになっている。更に、受枠用上部取付基板２０の裏面両サイドには、取付ボス２３が形成され、受枠用上部取付基板２０を下部取付基板１０の当接段差部１５に載置した状態で取付穴１９と取付ボス２３とに図示しないビスを裏面側から螺着することにより、受枠用上部取付基板２０と下部取付基板１０とをその前面が同一平面となるように固定することができ、受枠２１を有する入賞装置１Ａを完成することができる。
【００１８】
次に、上記した下部取付基板１０の上部に載置固定される上部取付基板２０又は３０のうち、通過枠用上部取付基板３０について説明すると、通過枠用上部取付基板３０は、横長台形状に形成され、そのほぼ中央にパチンコ玉を通過させる断面コ字状の通過枠３１が突設されている。そして、この通過枠３１に、通過枠用上部取付基板３０の裏面側から通過玉検出スイッチ３２が差し込まれることにより通過枠３１を通過するパチンコ玉を検出することができるようになっている。また、通過枠用上部取付基板３０の下端辺の横幅寸法は、前記下部取付基板１０の上端辺の横幅寸法と一致するように形成されると共に、下部取付基板１０の当接段差部１５に載置されるようになっている。更に、通過枠用上部取付基板３０の裏面両サイドには、取付ボス３３が形成され、通過枠用上部取付基板３０を下部取付基板１０の当接段差部１５に載置した状態で取付穴１９と取付ボス３３とに図示しないビスを裏面側から螺着することにより、通過枠用上部取付基板３０と下部取付基板１０とをその前面が同一平面となるように固定することができ、通過枠３１を有する入賞装置１Ｂを完成することができる。
【００１９】
以上、実施形態に係る入賞装置１について説明してきたが、本実施形態に係る入賞装置１は、当該入賞装置１が、一対の開閉部材１２がその前面側に開閉自在に設けられると共にソレノイド１７がその裏面側に取り付けられる下部取付基板１０と、該下部取付基板１０の上部に同一平面となるように固定され且つ受枠２１がその前面側に形成される受枠用上部取付基板２０、又は下部取付基板１０の上部に同一平面となるように固定され且つ通過枠３１がその前面側に形成される通過枠用上部取付基板３０と、からなるので、入賞装置１として一対の開閉部材１２と受枠２１とを有するものを製造したいときには、下部取付基板１０の上部に受枠用上部取付基板２０を固定すればよく、一方、入賞装置１として一対の開閉部材１２と通過枠３１とを有するものを製造したいときには、下部取付基板１０の上部に通過枠用上部取付基板３０を固定すればよいので、下部取付基板１０を共用することができ、結果的に受枠２１を有する入賞装置１又は通過枠３１を有する入賞装置１の製造を極めて経済的に且つ容易に行うことができる。
【００２０】
また、下部取付基板１０は、裏面側に設けられるソレノイド１７を含む開閉部材１２を駆動するためのリンク機構１８が当該下部取付基板１０の正面から見た面積範囲内に収まるように構成されているので、上部に固定される受枠用上部取付基板２０又は通過枠用上部取付基板３０のそれぞれの裏面側に延設される部材（誘導通路枠２２又は検出スイッチ３２）が存在しても、下部取付基板１０と上部取付基板２０又は３０との取付固定作業をスムーズに行うことができる。
【００２１】
また、受枠用上部取付基板２０には、その裏面側に受枠２１で受け止めたパチンコ玉を後方に導く誘導樋路枠２２が形成されているので、受枠２１で受け止めたパチンコ玉を入賞玉としてスムーズに後方に誘導することができる。
【００２２】
更に、通過枠用上部取付基板３０には、その裏面から通過玉を検出するための通過玉検出スイッチ３２が通過枠３１に差し込み固定されているので、通過枠３１を通過したパチンコ玉を確実に検出することができる。
【図面の簡単な説明】
【００２３】
【図１】下部取付基板と受枠用上部取付基板及び通過枠用上部取付基板の構成を示す入賞装置の分解斜視図である。
【図２】下部取付基板と受枠用上部取付基板とを連結固定した入賞装置の正面図である。
【図３】下部取付基板と通過枠用上部取付基板とを連結固定した入賞装置の正面図である。
【符号の説明】
【００２４】
１，１Ａ，１Ｂ  入賞装置
１０  下部取付基板
１２  開閉部材
１５  当接段差部
１７  ソレノイド
１８  リンク機構
２０  受枠用上部取付基板
２１  受枠
２２  誘導通路枠
３０  通過枠用上部取付基板
３１  通過枠
３２  通過玉検出スイッチ
【図１】
2008125620.tif 000003
【図２】
2008125620.tif 000004
【図３】
2008125620.tif 000005